(57)【要約】【課題】発信者の馴染みのある国内電話番号を使用することでＩＰネットワークを利用した国際通話を可能とする。【解決手段】第１国内の発信者の電話機に接続された第１通話網と、第２国内の受信者の電話機に接続された第２通話網と、第１通話網とＩＰネットワークを接続する第１ゲートウェイと、第２通話網とＩＰネットワークを接続する第２ゲートウェイと、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとを有し、発信者の電話機から仮電話番号を入力することで受信者の電話機との間で通話可能な国際通話システム。【選択図】図１
2006165832.tif 000002
【特許請求の範囲】
【請求項１】
第１国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
第１国内の電話番号である仮電話番号と受信者の１つ又は複数の電話番号を関連付けるデータベースサーバとを有し、
発信者の電話機から仮電話番号を入力することで受信者の電話機との間で通話可能な国際通話システム。
【請求項２】
アクセス制御サーバは、第１ゲートウェイからの要求に応じて、第１ゲートウェイから受信した仮電話番号に基づいてデータベースサーバから受信者の電話番号を検索すると共に、検索された受信者の電話番号に対応する第２ゲートウェイのＩＰアドレスを検索し、受信者の電話番号及び当該電話番号に対応するＩＰアドレスを第１ゲートウェイに送信するように構成されていることを特徴とする請求項１に記載の国際通話システム。
【請求項３】
第１国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
第１国内の電話番号である仮電話番号と受信者の１つ又は複数の電話番号を関連付けるデータベースサーバとを用いた国際通話方式であって、
発信者の電話機から仮電話番号を入力して発呼し、
仮電話番号を受信した第１ゲートウェイは、仮電話番号と関連付けられた受信者の電話機の電話番号および受信者の電話機の電話番号に対応する第２ゲートウェイのＩＰアドレスをアクセス制御サーバに照会し、
アクセス制御サーバは、仮電話番号と関連付けられた受信者の電話機の電話番号をデータベースサーバに照会し、
アクセス制御サーバは、データベースサーバから仮電話番号に対応する受信者の電話機の電話番号を取得し、受信者の電話機の電話番号と受信者の電話機の電話番号に対応する第２ゲートウェイのＩＰアドレスとを第１ゲートウェイに送信し、
第１ゲートウェイは、第２ゲートウェイのＩＰアドレスにしたがって、受信者の電話機の電話番号を第２ゲートウェイに送信し、
第２ゲートウェイは、受信者の電話機の電話番号を呼出し、
通話中は、第１ゲートウェイ及び第２ゲートウェイが、音声信号からＩＰパケットへの変換、ＩＰパケットから音声信号への変換を行う国際通話方式。
【請求項４】
ＩＰネットワーク内に置かれ、国際通話に用いる電話番号を管理する装置であって、該装置は、第１国内の電話番号である仮電話番号と第２国内の受信者の１つ又は複数の電話番号を関連付けるデータベースを有し、第１国内の発信者から仮電話番号が入力されると、第１国内のゲートウェイからの要求に応じて、仮電話番号に対応する受信者の電話番号を第１国内のゲートウェイに提供するように構成された電話番号管理装置。
【請求項５】
請求項４において、該電話番号管理サーバは、第２国内の受信者の１つ又は複数の電話番号と当該電話番号に対応する第２国のゲートウェイのＩＰアドレスのデータベースを有しており、第２国内の当該電話番号に対応する第２国のゲートウェイのＩＰアドレスを第１国内のゲートウェイに提供するように構成された電話番号管理装置。
【請求項６】
請求項５において、電話番号管理装置は、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとから構成されることを特徴とする電話番号管理装置。
【発明の詳細な説明】
【技術分野】
【０００１】
本発明は、通話システム及び通話方式に係り、詳しくは、ＩＰネットワークを用いた国際通話システム及び国際通話方式に関するものである。
【背景技術】
【０００２】
国際電話は従来に比べればコストが下がったものの国内電話の通話料に比べれば依然として高額であり、また、馴染みの無い海外の相手先の電話番号を入力しなければならないこと自体も煩わしいものである。しかも、最近では、複数の事業者が国際電話サービスを提供しており、国際識別番号、国番号、相手先の電話番号の前に所望の識別番号を選択して入力する必要があり、また、より低額で国際電話を行うにはマイライン登録の手続きが必要となったりする。
【０００３】
一方、インターネットを用いたＩＰ電話は、低通信コストで通話が可能な方式として着目されている。ＩＰ電話の通話方式について簡単に説明する。先ず、電話機から所定の形式に従って相手の電話番号を入力すると、呼び出し信号を受信したＶｏＩＰゲートウェイは相手先電話番号に対応するゲートウェイのＩＰアドレスをゲートキーパに確認し、ＩＰアドレスと電話番号に基づいて接続要求と呼び出し信号を相手側のＶｏＩＰゲートウェイに送信し、相手先のＶｏＩＰゲートウェイが相手側の電話機を呼び出して着信が完了する。通話中は、一方のゲートウェイがアナログ信号をデジタル化してＩＰパケットに変換し、他方のゲートウェイのＩＰアドレス等の情報を付加して、インターネットを介して他方のゲートウェイに送信する。一方のゲートウェイからのＩＰパケットを受信した他方のゲートウェイは、ＩＰパケットを音声信号に変換して電話機に送信する。
【０００４】
ＩＰ電話を国際通話に用いることも行われているが、従来の専用ＩＰ電話ネットワーク網を利用した国際電話サービスの特徴としては、（１）相手先電話番号（国番号＋市外局番＋電話番号）の前に、特定のアクセス番号、ＩＤ番号、パスワード等多くの番号をダイヤルしなければならない、（２）一部のアクセス番号を電話機に事前登録は可能ではあるが、電話機ごとの設定であり、電話機が複数の場合、利用者側内で周知徹底が難しい、（３）現行のサービスを受ける場合、主に“成済まし”の防止の為、掛ける側の電話番号を事前に、サービス会社に登録申請しておく必要がある、（４）利用者側の電話機、インターネット接続の回線環境の制約がある、等の問題がある。
【０００５】
特許文献１には、インターネット電話の利用者が通常の電話と同じ感覚でスムーズに電話をかけることを目的とした通話システムが記載されている。特許文献１のものでは、電話番号の前にインターネット特番を付けてダイヤルするものであり、国際電話の場合には、国番号の前にインターネット特番をダイヤルする必要があり、インターネット特番をダイヤルし忘れた場合には、一般の国際電話網を用いた国際電話となってしまう。また、そもそも、国際電話の場合には、相手先電話番号は、桁数も番号体系も自国の電話番番号と異なるため、通常の国内電話に比べて、ダイヤルが煩雑で間違いが生じ易い。
【特許文献１】特開２０００−２２８１４号
【発明の開示】
【発明が解決しようとする課題】
【０００６】
本発明の目的は、発信者の馴染みのある国内電話番号を使用することでＩＰネットワークを利用した国際通話を可能とすることにある。
【課題を解決するための手段】
【０００７】
かかる課題を解決するべく本発明が採用した国際通話システムは、第１国内の発信者の電話機に接続された第１通話網と、第２国内の受信者の電話機に接続された第２通話網と、第１通話網とＩＰネットワークを接続する第１ゲートウェイと、第２通話網とＩＰネットワークを接続する第２ゲートウェイと、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとを有し、発信者の電話機から仮電話番号を入力することで受信者の電話機との間で通話可能なことを特徴としている。
【０００８】
上記国際通話システムにおいて、アクセス制御サーバは、第１ゲートウェイからの要求に応じて、第１ゲートウェイから受信した仮電話番号に基づいてデータベースサーバから受信者の電話番号を検索すると共に、検索された受信者の電話番号に対応する第２ゲートウェイのＩＰアドレスを検索し、受信者の電話番号及び当該電話番号に対応するＩＰアドレスを第１ゲートウェイに送信するように構成されている。
【０００９】
また、本発明が採用した国際通話方式は、第１国内の発信者の電話機に接続された第１通話網と、第２国内の受信者の電話機に接続された第２通話網と、第１通話網とＩＰネットワークを接続する第１ゲートウェイと、第２通話網とＩＰネットワークを接続する第２ゲートウェイと、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとを用いており、発信者の電話機から仮電話番号を入力して発呼し、仮電話番号を受信した第１ゲートウェイは、仮電話番号と関連付けられた受信者の電話機の電話番号および受信者の電話機の電話番号に対応する第２ゲートウェイのＩＰアドレスをアクセス制御サーバに照会し、アクセス制御サーバは、仮電話番号と関連付けられた受信者の電話機の電話番号をデータベースサーバに照会し、アクセス制御サーバは、データベースサーバから仮電話番号に対応する受信者の電話機の電話番号を取得し、受信者の電話機の電話番号と受信者の電話機の電話番号に対応する第２ゲートウェイのＩＰアドレスとを第１ゲートウェイに送信し、第１ゲートウェイは、第２ゲートウェイのＩＰアドレスにしたがって、受信者の電話機の電話番号を第２ゲートウェイに送信し、第２ゲートウェイは、受信者の電話機の電話番号を呼出し、通話中は、第１ゲートウェイ及び第２ゲートウェイが、音声信号からＩＰパケットへの変換、ＩＰパケットから音声信号への変換を行うものである。
【発明の効果】
【００１０】
本発明によれば、馴染みのある仮電話番号をダイヤルするだけで、海外と通話を行うことができる。
【発明を実施するための最良の形態】
【００１１】
図１は、本発明に係る通話システムを示し、通話システムは、日本国内の発信者Ａの電話機（ターミナルＡ）に接続された日本国内のＰＳＴＮ（公衆交換電話網）と、日本国内のＰＳＴＮ（公衆交換電話網）と専用ＩＰネットワークを接続する日本国内のＶｏＩＰゲートウェイ（ＧＷ−Ａ）と、海外の公衆交換通話網（ＰＳＴＮ）と専用ＩＰネットワークを接続する海外のＶｏＩＰゲートウェイ（ＧＷ−Ｂ）と、海外の公衆交換通話網（ＰＳＴＮ）に接続された海外の受信者Ｂの電話機（ターミナルＢ）とを有する。通話システムは、さらに、受信者Ｂの電話番号に対応する海外のＶｏＩＰゲートウェイ（ＧＷ−Ｂ）のＩＰアドレスを管理すると共に、発信者の電話機と受信者の電話機との間の通話を制御するアクセス制御サーバ（ＧＫＳＩ−１）と、電話番号管理データベースサーバを有する。尚、本発明が採用する通話網は、ＰＳＴＮに限定されるものではない。
【００１２】
日本国内の発信者Ａの発信者電話機（ターミナル−Ａ）は、固定電話又は携帯電話である。本システムを利用して電話機から国際電話をかけるには、発信者は予め仮電話番号を取得する必要がある。仮電話番号は日本国内で用いられる固定電話の電話番号（０ＡＢＪ系）であって、０３−１２３４−５６７８のような国内電話番号である。また、仮電話番号は、「０Ｘ０系」の番号（０５０で始まるＩＰ電話番号）でもよい。仮電話番号は海外の受信者毎に取得する。具体的には、例えば、発信者Ａが電話を掛けたい海外の受信者がＢ−１，Ｂ−２，Ｂ−３の３名である場合には、発信者Ａは、受信者Ｂ−１用，受信者Ｂ−２用，受信者Ｂ−３用の３つの仮電話番号を取得する必要がある。海外の受信者Ｂの電話機（ターミナル−Ｂ）は、固定電話又は携帯電話である。受信者Ｂが複数の電話機を使用している場合には、発信者Ａと受信者Ｂとの間に割り当てた１つの仮電話番号に対して複数の受信者Ｂの電話番号を関連付けることができる。
【００１３】
日本国内の電話番号である仮電話番号は、海外に居る受信者の電話機の電話番号と関連付けられている。図２に示すように、専用ＩＰネットワーク内に置かれた電話番号管理データベースサーバには、仮電話番号と受信者の電話機の電話番号を関連付けるテーブルが格納されている。受信者が複数の電話機を利用している場合には、一つの仮電話番号に対して複数の相手先番号を関連付けても良い。
【００１４】
日本国内のＶｏＩＰゲートウェイ（ＧＷ−Ａ）は、日本国内のＰＳＴＮ（公衆交換電話網）と専用ＩＰネットワークの接点に配置される。日本国内のＶｏＩＰゲートウェイ（ＧＷ−Ａ）は、発信者の電話機からダイヤルされた仮電話番号に基づいて発着信のシグナリングを行うと共に、音声信号をデジタル化しＩＰパケットに変換し、また、ＩＰパケットを音声信号に変換する。海外のＶｏＩＰゲートウェイ（ＧＷ−Ｂ）は、海外の公衆交換通話網（ＰＳＴＮ）と専用ＩＰネットワークの接点に配置され、仮電話番号に関連付けられた受信者の電話番号に基づいて発着信のシグナリングを行って受信者の電話機を発呼すると共に、デジタル化されたＩＰパケットを音声信号に変換し、また、音声信号をデジタル化しＩＰパケットに変換する。
【００１５】
アクセス制御サーバ（ＧＫＳＩ−１）は発信者の電話機と受信者の電話機との間の通話を制御するものであり、ゲートキーパ又はＳＩＰサーバにより構成される。アクセス制御サーバ（ＧＫＳＩ−１）は、日本国内のＶｏＩＰゲートウェイ（ＧＷ−Ａ）から仮電話番号を受信すると、電話番号管理データベースサーバに対して仮電話番号に関連付けられた相手先電話番号の検索を要求し、電話番号管理データベースサーバから相手先電話番号を取得する。さらに、アクセス制御サーバ（ＧＫＳＩ−１）は、相手先電話番号に対応する相手先電話番号に対応する海外のＶｏＩＰゲートウェイ（ＧＷ−Ｂ）のＩＰアドレスを検索し、仮電話番号に対応する相手先電話番号及び相手先電話番号に対応する海外のＶｏＩＰゲートウェイ（ＧＷ−Ｂ）のＩＰアドレスを日本国内のＶｏＩＰゲートウェイ（ＧＷ−Ａ）に送信する。一つの態様では、アクセス制御サーバ（ＧＫＳＩ−１）には、相手先電話番号とＩＰアドレスとの対応データベースが格納されている。図ではアクセス制御サーバと電話番号データベースサーバを別に示したが、アクセス制御サーバが電話番号データベースサーバを兼用（アクセス制御サーバの一部）してもよい。また、アクセス制御サーバと電話番号データベースサーバを含めて電話番号管理装置としてもよい。
【００１６】
本発明に係る通話システムを用いた通話方法について説明する。先ず、事前準備として、発信者（Ａ）は特定の受信者（Ｂ）の受信者の電話機（ターミナル−Ｂ）の電話番号（複数可）を確定する。発信者（Ａ）毎に決められた仮電話番号とターミナル−Ｂの電話番号を「電話番号管理データベースサーバ」に関連付けて登録する。本発明に係る通話システムでは、発信者（Ａ）に特定のＩＤ、パスワードは要求しない。
【００１７】
コールフローについて説明する。
ステップ（１）：発信者（Ａ）は発信者電話機（ターミナル−Ａ）より、発信者（Ａ）毎に決められた仮電話番号をダイヤルする。本システムでは、発信者の認証は行われない。したがって、仮電話番号を入力することで、発信者（Ａ）以外の発信者であっても受信者（Ｂ）に対して本システムを用いて国際電話を掛けることができる。本システムでは、発信者の電話機（ターミナル−Ａ）の電話番号を管理する必要がないので、発信者（Ａ）は、仮電話番号をダイヤルすることで、会社からでも、自宅からでも受信者（Ｂ）に電話をすることができる。仮に「成りすまし」がいたとしても、相手側にとっては間違い電話となるので支障はない。したがって、本システムでは、セキュリティ（特に、「成りすまし」対策）の整備のコストを削減することができる。
【００１８】
ステップ（２）：日本国内のＶｏＩＰゲートウェイ（ＧＷ−Ａ）は、発信者（Ａ）から仮電話番号を受信すると、アクセス制御サーバ（ＧＫＳＩ−１）に承認要求をすると共に、受信者（Ｂ）の相手先電話番号に対応する海外のＶｏＩＰゲートウェイ（ＧＷ−Ｂ）のＩＰアドレスを問い合わせる。
【００１９】
ステップ（３）：アクセス制御サーバ（ＧＫＳＩ−１）は、日本国内のＶｏＩＰゲートウェイ（ＧＷ−Ａ）からの要求に応じて、電話番号管理ＤＢサーバにアクセスし、事前に登録されている仮電話番号に関連付けられた相手先電話番号１（ターミナル−Ｂの電話番号）を検索する。
【００２０】
ステップ（４）：電話番号管理ＤＢサーバは、検索された相手先電話番号１（ターミナル−Ｂの電話番号）をアクセス制御サーバ（ＧＫＳＩ−１）に送信する。
【００２１】
ステップ（５）：アクセス制御サーバ（ＧＫＳＩ−１）は、電話番号管理ＤＢサーバから取得した相手先電話番号１（ターミナル−Ｂの電話番号）に対応する海外のＶｏＩＰゲートウェイ（ＧＷ−Ｂ）のＩＰアドレスを検索し、相手先電話番号１（ターミナル−Ｂの電話番号）とその電話番号に対応するゲートウェイ（ＧＷ−Ｂ）のＩＰアドレスを付加し、承認確認を日本国内のＶｏＩＰゲートウェイ（ＧＷ−Ａ）に送信する。
【００２２】
ステップ（６）：日本国内のＶｏＩＰゲートウェイ（ＧＷ−Ａ）は、アクセス制御サーバ（ＧＫＳＩ−１）から、相手先電話番号１（ターミナル−Ｂの電話番号）と当該電話番号に対応するゲートウェイ（ＧＷ−Ｂ）のＩＰアドレスを受信すると、ゲートウェイ（ＧＷ−Ｂ）に、相手先電話番号１（ターミナル−Ｂの電話番号）で、通信に先立って、相手先の電話機（ターミナル−Ｂ）と接続を確立するための呼出信号を送信する。
【００２３】
ステップ（７）：ゲートウェイ（ＧＷ−Ｂ）は現地ＰＳＴＮ網経由で相手先の電話機（ターミナル−Ｂ）に発呼して、相手先の電話機（ターミナル−Ｂ）を鳴らす。
【００２４】
ステップ（８）：相手先の電話機（ターミナル−Ｂ）が呼び出しを開始した時、ゲートウェイ（ＧＷ−Ｂ）は日本国内のＶｏＩＰゲートウェイ（ＧＷ−Ａ）にターミナル−Ｂと接続を確立するための呼出信号を送信する。
【００２５】
ステップ（９）：海外のＶｏＩＰゲートウェイ（ＧＷ−Ｂ）と日本国内のＶｏＩＰゲートウェイ（ＧＷ−Ａ）の接続が確立出来た後、日本国内のＶｏＩＰゲートウェイ（ＧＷ−Ａ）と海外のＶｏＩＰゲートウェイ（ＧＷ−Ｂ）はアクセス制御サーバ（ＧＫＳＩ−１）にアクティブコール情報を送信する。
【００２６】
ステップ（１０）：相手先の受話器がとられ通話開始となる。国内の発信者の電話機から通話網を介して送信された音声信号は、日本国内のＶｏＩＰゲートウェイ（ＧＷ−Ａ）でデジタル化されてＩＰパケットに変換され、専用ＩＰネットワークを介して海外のＶｏＩＰゲートウェイ（ＧＷ−Ｂ）に送信され、海外のＶｏＩＰゲートウェイ（ＧＷ−Ｂ）は受信したＩＰパケットを音声信号に変換して、通話網を介して受信者の電話機に送信される。同様に、相手先の電話機から通話網を介して送信された音声信号は、海外のＶｏＩＰゲートウェイ（ＧＷ−Ｂ）でデジタル化されてＩＰパケットに変換され、専用ＩＰネットワークを介して国内のＶｏＩＰゲートウェイ（ＧＷ−Ａ）に送信され、国内のＶｏＩＰゲートウェイ（ＧＷ−Ａ）は受信したＩＰパケットを音声信号に変換して、通話網を介して国内の電話機に送信される。
【００２７】
上記ステップ（９）後、相手先と通話が始まらない場合は、上記ステップ（３）にて相手先電話番号２を取得し、同様に上記ステップ（４）以降のフローにて相手先を呼び出す。相手先電話番号２の登録が無い場合、あるいは、相手先電話番号２を発呼しても相手先の応答や通話が始まらない場合は、海外のＶｏＩＰゲートウェイ（ＧＷ−Ｂ）は日本国内のＶｏＩＰゲートウェイ（ＧＷ−Ａ）への呼出信号を切断すると共に、アクセス制御サーバ（ＧＫＳＩ−１）にコール終了の解除要求を送信する。
【００２８】
コール解除フローについて説明する。ターミナル−Ａ（またはターミナル−Ｂ）において通話が終了すると、ＧＷ−Ａ（またはＧＷ−Ｂ）はＧＫＳＩ−１にコール終了の解除要求を送信する。ＧＫＳＩ−１は、応答し日本国内のＶｏＩＰゲートウェイ（ＧＷ−Ａ）（またはＧＷ−Ｂ）に解除確認を送信する。ＧＷ−Ａ（またはＧＷ−Ｂ）はＧＷ−Ｂ（またはＧＷ−Ａ）に呼出信号を切断する。ＧＷ−Ｂ（またはＧＷ−Ａ）は、ＧＫＳＩ−１にコール終了の解除要求を送信する。コール終了となる。
【００２９】
上述のように、発信者が日本国内の仮電話番号にダイヤルし、入力した情報（呼び出し信号＋音声信号）は、国内のゲートウェイによりＩＰパケット化されると共に、ゲートキーパ又はＳＩＰサーバにより、事前登録された海外の電話番号情報（相手先の電話番号＋ＩＰアドレス）が付加されてＩＰネットワークを介して対応する相手国のゲートウェイを通過し、相手国の国内公衆回線網に入ることができる。したがって、日本で一番馴染みのある、日本国内の仮電話番号（たとえば東京の利用者はNTT加入番号（03-×× ×× − ×× ××）、今後一般的になる050−×× ××− ×× ××等 ）をダイヤルするだけで、ＩＰネットワークを介して、海外と直接通話をすることが可能となる。また、相手先の電話番号は、事前に複数登録可能であるため、最初の番号に接続できない場合は次の番号に自動的に切り替えて接続を行うことができる。
【産業上の利用可能性】
【００３０】
本発明は国際通話システムに係り、海外拠点、海外と取引のある企業、事業主や日本に拠点を持つ、海外企業、事業主の日本国内からの通話用、長・短期の海外出張者・赴任者や日本に拠点を持つ進出企業や事業主の日本国内からの通話用、海外への留学生、海外からの留学生の日本国内からの通話用、海外への旅行者、海外からの旅行者の日本国内からの通話用に利用することができる。
【図面の簡単な説明】
【００３１】
【図１】本発明に係る国際通話システムの全体図である。
【図２】電話番号管理データベースを示すテーブルである。
【図１】
2006165832.tif 000003
【図２】
2006165832.tif 000004
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
第１国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
第１国内の電話番号である仮電話番号と受信者の１つ又は複数の第２国内の電話番号を関連付けるデータベースサーバとを有し、
発信者の電話機から第１国内の電話番号である仮電話番号を入力することで第２国内の受信者の電話機との間で通話可能な国際通話システム。
【請求項２】
アクセス制御サーバは、第１ゲートウェイからの要求に応じて、第１ゲートウェイから受信した仮電話番号に基づいてデータベースサーバから受信者の電話番号を検索すると共に、検索された受信者の電話番号に対応する第２ゲートウェイのＩＰアドレスを検索し、受信者の電話番号及び当該電話番号に対応するＩＰアドレスを第１ゲートウェイに送信するように構成されていることを特徴とする請求項１に記載の国際通話システム。
【請求項３】
第１国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
第１国内の電話番号である仮電話番号と受信者の１つ又は複数の第２国内の電話番号を関連付けるデータベースサーバとを用いた国際通話方式であって、
発信者の電話機から第１国内の電話番号である仮電話番号を入力して発呼し、
第１国内の電話番号である仮電話番号を受信した第１ゲートウェイは、第１国内の電話番号である仮電話番号と関連付けられた第２国内の受信者の電話機の電話番号および受信者の電話機の電話番号に対応する第２ゲートウェイのＩＰアドレスをアクセス制御サーバに照会し、
アクセス制御サーバは、第１国内の電話番号である仮電話番号と関連付けられた第２国内の受信者の電話機の電話番号をデータベースサーバに照会し、
アクセス制御サーバは、データベースサーバから第１国内の電話番号である仮電話番号に対応する第２国内の受信者の電話機の電話番号を取得し、受信者の電話機の電話番号と受信者の電話機の電話番号に対応する第２ゲートウェイのＩＰアドレスとを第１ゲートウェイに送信し、
第１ゲートウェイは、第２ゲートウェイのＩＰアドレスにしたがって、受信者の電話機の電話番号を第２ゲートウェイに送信し、
第２ゲートウェイは、受信者の電話機の電話番号を呼出し、
通話中は、第１ゲートウェイ及び第２ゲートウェイが、音声信号からＩＰパケットへの変換、ＩＰパケットから音声信号への変換を行う国際通話方式。
【請求項４】
ＩＰネットワーク内に置かれ、国際通話に用いる電話番号を管理する装置であって、該装置は、第１国内の電話番号である仮電話番号と第２国内の受信者の１つ又は複数の電話番号を関連付けるデータベースを有し、第１国内の発信者から第１国内の電話番号である仮電話番号が入力されると、第１国内のゲートウェイからの要求に応じて、第１国内の電話番号である仮電話番号に対応する第２国内の受信者の電話番号を第１国内のゲートウェイに提供するように構成された電話番号管理装置。
【請求項５】
請求項４において、該電話番号管理サーバは、第２国内の受信者の１つ又は複数の電話番号と当該電話番号に対応する第２国のゲートウェイのＩＰアドレスのデータベースを有しており、第２国内の当該電話番号に対応する第２国のゲートウェイのＩＰアドレスを第１国内のゲートウェイに提供するように構成された電話番号管理装置。
【請求項６】
請求項５において、電話番号管理装置は、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとから構成されることを特徴とする電話番号管理装置。
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
第１国である日本国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
発信者によって受信者毎に取得される第１国内の０ＡＢＪ系あるいは０Ｘ０系電話番号である仮電話番号と受信者の１つ又は複数の第２国内の電話番号を関連付けるデータベースサーバとを有し、
発信者の電話機から第１国内の０ＡＢＪ系あるいは０Ｘ０系電話番号である仮電話番号を入力することで第２国内の受信者の電話機との間で通話可能な国際通話システム。
【請求項２】
アクセス制御サーバは、第１ゲートウェイからの要求に応じて、第１ゲートウェイから受信した仮電話番号に基づいてデータベースサーバから受信者の電話番号を検索すると共に、検索された受信者の電話番号に対応する第２ゲートウェイのＩＰアドレスを検索し、受信者の電話番号及び当該電話番号に対応するＩＰアドレスを第１ゲートウェイに送信するように構成されていることを特徴とする請求項１に記載の国際通話システム。
【請求項３】
第１国である日本国内の発信者の電話機に接続された第１通話網と、
第２国内の受信者の電話機に接続された第２通話網と、
第１通話網とＩＰネットワークを接続する第１ゲートウェイと、
第２通話網とＩＰネットワークを接続する第２ゲートウェイと、
受信者の１つ又は複数の電話番号に対応する第２ゲートウェイのＩＰアドレスを管理するアクセス制御サーバと、
発信者によって受信者毎に取得される第１国内の０ＡＢＪ系あるいは０Ｘ０系電話番号である仮電話番号と受信者の１つ又は複数の第２国内の電話番号を関連付けるデータベースサーバとを用いた国際通話方式であって、
発信者の電話機から第１国内の０ＡＢＪ系あるいは０Ｘ０系電話番号である仮電話番号を入力して発呼し、
第１国内の０ＡＢＪ系あるいは０Ｘ０系電話番号である仮電話番号を受信した第１ゲートウェイは、第１国内の０ＡＢＪ系あるいは０Ｘ０系電話番号である仮電話番号と関連付けられた第２国内の受信者の電話機の電話番号および受信者の電話機の電話番号に対応する第２ゲートウェイのＩＰアドレスをアクセス制御サーバに照会し、
アクセス制御サーバは、第１国内の０ＡＢＪ系あるいは０Ｘ０系電話番号である仮電話番号と関連付けられた第２国内の受信者の電話機の電話番号をデータベースサーバに照会し、
アクセス制御サーバは、データベースサーバから第１国内の０ＡＢＪ系あるいは０Ｘ０系電話番号である仮電話番号に対応する第２国内の受信者の電話機の電話番号を取得し、受信者の電話機の電話番号と受信者の電話機の電話番号に対応する第２ゲートウェイのＩＰアドレスとを第１ゲートウェイに送信し、
第１ゲートウェイは、第２ゲートウェイのＩＰアドレスにしたがって、受信者の電話機の電話番号を第２ゲートウェイに送信し、
第２ゲートウェイは、受信者の電話機の電話番号を呼出し、
通話中は、第１ゲートウェイ及び第２ゲートウェイが、音声信号からＩＰパケットへの変換、ＩＰパケットから音声信号への変換を行う国際通話方式。
【請求項４】
ＩＰネットワーク内に置かれ、国際通話に用いる電話番号を管理する装置であって、該装置は、第１国である日本国内の０ＡＢＪ系あるいは０Ｘ０系電話番号である仮電話番号と第２国内の受信者の１つ又は複数の電話番号を関連付けるデータベースを有し、第１国内の発信者から第１国内の０ＡＢＪ系あるいは０Ｘ０系電話番号である仮電話番号が入力されると、第１国内のゲートウェイからの要求に応じて、第１国内の０ＡＢＪ系あるいは０Ｘ０系電話番号である仮電話番号に対応する第２国内の受信者の電話番号を第１国内のゲートウェイに提供するように構成された電話番号管理装置。
【請求項５】
請求項４において、該電話番号管理サーバは、第２国内の受信者の１つ又は複数の電話番号と当該電話番号に対応する第２国のゲートウェイのＩＰアドレスのデータベースを有しており、第２国内の当該電話番号に対応する第２国のゲートウェイのＩＰアドレスを第１国内のゲートウェイに提供するように構成された電話番号管理装置。
【請求項６】
請求項５において、電話番号管理装置は、受信者の１つ又は複数の電話番号に対応する第２ゲートウェイのＩＰアドレスを管理するアクセス制御サーバと、第１国内の電話番号である仮電話番号と受信者の１つ又は複数の電話番号を関連付けるデータベースサーバとから構成されることを特徴とする電話番号管理装置。